(57)【特許請求の範囲】
【請求項１】
放電ランプと；
直流電源と、この直流電源から出力された直流電圧を高周波交流電圧に変換して放電ランプに供給するインバータ回路と、このインバータ回路の駆動を制御することで放電ランプを、予熱状態、始動状態および点灯状態のいずれかの状態に制御可能な制御手段と、直流電源から出力される直流電圧を検出する検出手段と、起動時には、直流電源側から制御手段に給電し、インバータ回路の駆動後はこのインバータ回路側から制御手段に給電し、かつ、検出手段により検出した直流電圧が所定の閾値を下回ったときに、直流電源側から制御手段に所定時間補助給電する給電手段とを備えた電源装置と；
を具備していることを特徴とする放電ランプ点灯装置。
【請求項２】
制御手段は、放電ランプを、予熱状態、始動状態および点灯状態のいずれかの状態に制御可能であり、
給電手段は、起動時には、直流電源側から制御手段に給電し、インバータ回路の駆動後はこのインバータ回路側から制御手段に給電し、かつ、放電ランプが始動状態と点灯状態とのいずれかに移行すると、直流電源側から制御手段に所定時間補助給電する
ことを特徴とする請求項１記載の放電ランプ点灯装置。
【請求項３】
制御手段は、少なくとも一部が給電手段とともに集積化されて直流電源に直接接続されている
ことを特徴とする請求項１または２記載の放電ランプ点灯装置。
【発明の詳細な説明】
【技術分野】
【０００１】
本発明は、互いに異なる複数点のいずれかから選択的に制御手段に給電可能な電源装置を備えた放電ランプ点灯装置に関する。
【背景技術】
【０００２】
従来、例えば負荷としての放電ランプを点灯させる電源装置としての放電ランプ点灯装置は、商用交流電源を整流した後、この整流した入力電圧を昇圧チョッパ回路などの力率改善回路により昇圧した直流電圧に変換する直流電源と、この直流電源から出力される直流電圧を高周波電圧に変換して放電ランプを点灯させるインバータ回路と、このインバータ回路と放電ランプとの間に接続されインバータ回路から供給される電力を制御するＬＣ共振回路などを備えている。インバータ回路は、例えば対をなすスイッチング素子を備えたハーフブリッジ型のものなどがあり、ドライブするドライブ回路を介してスイッチング素子を制御することによりスイッチング動作させ、所定周波数の高周波電圧を、ＬＣ共振回路を介して放電ランプに印加して、放電ランプを、予熱状態から始動状態を経て点灯させることが可能である。
【０００３】
このような制御手段は、例えば直流電源側から抵抗器などを備えた電源回路を介して電源をとることが考えられるものの、このような構成の場合、高耐圧の抵抗器で常時電力が消費されるため、回路効率が良好でない。そこで、このような直流電源側からの給電を放電ランプ点灯装置の起動時のみ用い、インバータ回路の起動後はこのインバータ回路側から任意の限流要素を経由して制御手段へと給電する構成が知られている(例えば、特許文献１参照。)。
【先行技術文献】
【特許文献】
【０００４】
【特許文献１】特許第３３７９１５９号公報(第３頁、図１)
【発明の概要】
【発明が解決しようとする課題】
【０００５】
しかしながら、放電ランプ点灯装置では、放電ランプの点灯状態によっては直流電源からの電圧が低下し、インバータ回路から所望の電力を供給できず、制御手段の電源電圧が低下するおそれがあるという問題点を有している。そして、制御手段がマイコンである場合には、この電源電圧の低下によって制御手段がリセットされるおそれがある。
【０００６】
本発明は、このような点に鑑みなされたもので、回路効率を確保しつつ、負荷変動に伴う制御手段の電源変動を抑制できる放電ランプ点灯装置を提供することを目的とする。
【課題を解決するための手段】
【０００７】
請求項１記載の放電ランプ点灯装置は、放電ランプと；直流電源と、この直流電源から出力された直流電圧を高周波交流電圧に変換して放電ランプに供給するインバータ回路と、このインバータ回路の駆動を制御することで放電ランプを、予熱状態、始動状態および点灯状態のいずれかの状態に制御可能な制御手段と、直流電源から出力される直流電圧を検出する検出手段と、起動時には、直流電源側から制御手段に給電し、インバータ回路の駆動後はこのインバータ回路側から制御手段に給電し、かつ、検出手段により検出した直流電圧が所定の閾値を下回ったときに、直流電源側から制御手段に所定時間補助給電する給電手段とを備えた電源装置と；を具備しているものである。
【０００８】
放電ランプとしては、例えば熱陰極型放電ランプが用いられる。
【０００９】
直流電源は、例えば交流電圧を整流した後、昇圧チョッパ回路などの力率改善回路によって直流電圧を得るものでもよいし、電池電源あるいはキャパシタなどであってもよい。
【００１０】
インバータ回路は、例えば対をなすスイッチング素子を備えたハーフブリッジ型などのものが用いられるが、これに限定されるものではない。
【００１１】
制御手段は、例えばマイコンなどであり、インバータ回路のスイッチング素子のスイッチングを停止させることによりインバータ回路を停止させることが可能である。
【００１２】
検出手段としては、例えば比較器(コンパレータ)などが用いられる。
【００１３】
請求項２記載の放電ランプ点灯装置は、請求項１記載の放電ランプ点灯装置において、制御手段は、放電ランプを、予熱状態、始動状態および点灯状態のいずれかの状態に制御可能であり、給電手段は、起動時には、直流電源側から制御手段に給電し、インバータ回路の駆動後はこのインバータ回路側から制御手段に給電し、かつ、放電ランプが始動状態と点灯状態とのいずれかに移行すると、直流電源側から制御手段に所定時間補助給電するものである。
【００１４】
直流電源側からの給電とは、例えば直流電源からの出力される直流電圧を供給する構成でもよいし、交流電圧を整流する場合にはこの整流した電圧を供給する構成でもよい。
【００１５】
補助給電とは、インバータ回路側からの給電に追加して直流電源側から給電することをいう。
【００１６】
請求項３記載の放電ランプ点灯装置は、請求項１または２記載の放電ランプ点灯装置において、制御手段は、少なくとも一部が給電手段とともに集積化されて直流電源に直接接続されているものである。
【００１７】
制御手段の少なくとも一部が給電手段とともに集積化されているとは、制御手段全体が給電手段と集積化されている構成でもよいし、インバータ回路の制御部などの主要な部分のみが給電手段と集積化されている構成でもよい。
【発明の効果】
【００１８】
請求項１記載の放電ランプ点灯装置によれば、給電手段が、放電ランプの起動時には、直流電源側から制御手段に給電し、インバータ回路の駆動後はこのインバータ回路側から制御手段に給電し、かつ、検出手段により検出した直流電圧が所定の閾値を下回ったときに、直流電源側から制御手段に所定時間補助給電することにより、例えば抵抗器などにより常時電力を消費することがなく、回路効率を確保できるとともに、放電ランプの点灯状態に応じた負荷変動に伴う制御手段の電源変動を確実に抑制できる。
【００１９】
請求項２記載の放電ランプ点灯装置によれば、請求項１記載の放電ランプ点灯装置の効果に加えて、給電手段が、起動時には、直流電源側から制御手段に給電し、インバータ回路の駆動後はこのインバータ回路側から制御手段に給電し、かつ、放電ランプが始動状態または点灯状態に移行すると、直流電源側から制御手段に所定時間補助給電することにより、放電ランプが予熱状態から始動状態に移行した際の制御手段の電源変動をより確実に抑制できる。
【００２０】
請求項３記載の放電ランプ点灯装置によれば、請求項１または２記載の放電ランプ点灯装置の効果に加えて、制御手段の少なくとも一部を給電手段とともに集積化して直流電源に直接接続することにより、小型で安価な回路構成を得ることができる。
【図面の簡単な説明】
【００２１】
【図１】本発明の一実施の形態を示す放電ランプ点灯装置の回路図である。
【図２】同上放電ランプ点灯装置の制御手段の一部を示す回路図である。
【図３】同上放電ランプ点灯装置の各部の動作タイミングを示すタイミングチャートである。
【図４】同上放電ランプ点灯装置を備えた照明器具の斜視図である。
【発明を実施するための形態】
【００２２】
以下、本発明の一実施の形態を図面を参照して説明する。
【００２３】
図１は放電ランプ点灯装置の回路図、図２は放電ランプ点灯装置の制御手段の一部を示す回路図、図３は放電ランプ点灯装置の各部の動作タイミングを示すタイミングチャート、図４は放電ランプ点灯装置を備えた照明器具の斜視図である。
【００２４】
図１に示すように、電源装置すなわち電子安定器としての熱陰極形放電ランプ点灯装置である放電ランプ点灯装置10は、直流電源11の出力側に、この直流電源11からの直流出力(直流電圧)を高周波交流電圧に変換して出力するインバータ回路13が電気的に接続され、このインバータ回路13の出力側に負荷としての例えば熱陰極形蛍光ランプなどの放電ランプFLが着脱可能に装着される。また、この放電ランプ点灯装置10は、インバータ回路13などを制御する制御素子16を備え、この制御素子16には、インバータ回路13の駆動用のドライバ部であるドライブ素子17が電気的に接続されている。
【００２５】
直流電源11は、例えば１００Ｖ〜２４２Ｖなどの商用交流電源ｅをブリッジダイオードなどの全波整流素子RECによって整流した後、例えば電界効果トランジスタなどのチョッピング用のスイッチング素子および昇圧用のトランスなどを昇圧チョッパ回路などの力率改善回路21によって昇圧し、さらに、平滑用のコンデンサである電解コンデンサC1により平滑して、直流電圧を出力するものである。
【００２６】
また、インバータ回路13は、例えば対をなす電界効果トランジスタなどのスイッチング素子を備えた、ハーフブリッジ型、あるいはフルブリッジ型のものなどであり、出力周波数に応じた電圧を出力するためのＬＣ共振回路などの図示しない共振回路を含むものとする。
【００２７】
また、放電ランプFLは、各フィラメントFLa，FLbに対して、図示しない予熱回路が接続されている。
【００２８】
そして、制御素子16は、例えばいわゆるＩＣ(集積回路)であり、直流電源11の力率改善回路21の出力側に電気的に直接接続された起動電源回路23およびインバータ回路13の出力側に電気的に直接接続された制御電源回路24を有する給電手段としての給電部25と、直流電源11の力率改善回路21と接続される力率改善制御部26、放電ランプFLの動作(点灯)状態に基づいてインバータ回路13のスイッチング素子の動作制御用の周波数信号Ｐを生成してドライブ素子17へと出力するインバータ制御手段としての発振制御部27、および、放電ランプFLの電圧などを検出することで放電ランプFLの点灯状態を検出する状態検出部28などを一体に有する制御手段としての制御部29とを備えている。
【００２９】
なお、制御部29が力率改善制御部26、発振制御部27および状態検出部28などを一体に有するとは、これらが集積化していることをいう。
【００３０】
起動電源回路23は、図２に示すように、電圧降下部31および起動部32などを有している。
【００３１】
電圧降下部31は、起動電源回路23側から制御部29(図１)へと供給される電圧を所定電圧、例えば１２Ｖに降下させて安定させるためのものである。
【００３２】
起動部32は、力率改善回路21(図１)から出力される出力電圧VDCを、電圧降下部31を介して制御部29(図１)側へと供給するための高耐圧部であり、図示しないが、抵抗器および保護素子であるツェナダイオードなどを有している。
【００３３】
また、制御電源回路24は、例えばスナバコンデンサを用いるバックアップ電源回路である。
【００３４】
したがって、給電部25は、異なる複数点、すなわち直流電源11側である力率改善回路21の出力側と、インバータ回路13側とのそれぞれから選択的に制御部29へと給電可能となっている。
【００３５】
また、図１に示す力率改善制御部26は、例えば、電源側の入力電圧、および、力率改善回路21のスイッチング素子に流れるスイッチング電流などの所定の信号に基づいて、このスイッチング素子のスイッチングパルスであるチョッピング用周波数信号PCを生成して出力する機能を有している。
【００３６】
発振制御部27は、放電ランプFLを、予熱状態から始動状態を経て点灯させるように連続的に制御するものである。すなわち、発振制御部27は、放電ランプFLを予熱状態とする予熱モード、放電ランプFLを始動状態とする始動モード、および、放電ランプFLを点灯状態としてその点灯状態を制御する点灯モードのそれぞれの制御モードを有している。
【００３７】
そして、発振制御部27は、インバータ回路13などを制御することにより、放電ランプFLを、始動前予熱状態から始動状態を経て点灯させるように連続的に制御するものである。すなわち、発振制御部25は、インバータ回路13などを(始動前)予熱モードで動作させることで放電ランプFLを予熱状態とし、インバータ回路13などを始動モードで動作させることで放電ランプFLを始動状態とし、インバータ回路13などを点灯モードで動作させることで放電ランプFLを点灯制御することが可能となっている。
【００３８】
また、発振制御部27は、状態検出部28により検出した放電ランプFLの点灯状態に基づいて、所定の周波数を有する周波数信号Ｐを生成する機能を有している。具体的に、発振制御部27は、検出電圧VCLが第１閾値電圧VTH1を下回っているとき、あるいは、検出電圧VCLが第２閾値電圧VTH2を超えているときに、インバータ回路13を停止させるように周波数信号Ｐを生成し、それら以外のときには、放電ランプFLの点灯状態に応じた周波数信号Ｐを生成する。
【００３９】
具体的に、発振制御部27は、図３に示すモード制御部35を有している。このモード制御部35は、予熱カウンタ用比較器OP1と、始動カウンタ用比較器OP2とを備えている。
【００４０】
予熱カウンタ用比較器OP1は、非反転入力端子に対して、スイッチング素子であるＮ型のＭＯＳＦＥＴQ1のドレイン端子が電気的に接続されているとともに、ツェナダイオードZD1と抵抗器R1および充放電コンデンサCpreの直列回路とがＭＯＳＦＥＴQ1に対して並列に電気的に接続されている。このＭＯＳＦＥＴQ1は、ソース端子が接地されている。また、予熱カウンタ用比較器OP1は、反転入力端子に対して、参照電圧V1が供給されている。そして、予熱カウンタ用比較器OP1の出力端子は、ＮＯＴゲートN1の入力端子と電気的に接続され、このＮＯＴゲートN1の出力端子は、Ｔ型フリップフロップであるカウンタTAのＴ端子と電気的に接続され、このカウンタTAのＱ端子は、Ｔ型フリップフロップであるカウンタTBのＴ端子と電気的に接続され、このカウンタTBのＱ端子は、Ｔ型フリップフロップであるカウンタTCのＴ端子と電気的に接続されている。これらカウンタTA〜TCのＥＮ端子には、それぞれＭＯＳＦＥＴQ1のゲート端子がＮＯＴゲートN2を介して電気的に接続されている。また、これらカウンタTA〜TCの各Ｑ端子は、ＡＮＤゲートA1の入力側に電気的に接続され、このＡＮＤゲートA1の出力側が、フリップフロップRSpreのＳ端子に電気的に接続されている。このフリップフロップRSpreのＲ端子には、ＭＯＳＦＥＴQ1のゲート端子が電気的に接続されており、Ｑ端子は、ＮＯＴゲートN3を介してスイッチング素子としてのＮＰＮ型のトランジスタQ2のベース端子に電気的に接続されている。そして、このトランジスタQ2のエミッタ端子は接地され、コレクタ端子には抵抗器R2と定電圧素子であるツェナダイオードZD2との並列回路が電気的に接続され、抵抗器R2が予熱終了用スイッチtpreと電気的に接続されている。また、カウンタTAのＱ端子は、予熱モード中であるかどうかを検出するための予熱検出手段であるフリップフロップRSDK1のＳ端子と電気的に接続され、このフリップフロップRSDK1のＲ端子には、ＭＯＳＦＥＴQ1のゲート端子が、ＯＲゲートOR1を介して電気的に接続されている。そして、このフリップフロップRSDK1のＱ端子は、ＯＲゲートOR2の入力側に電気的に接続されている。なお、ＯＲゲートOR1の入力側には、フリップフロップRSpreのＱ端子が電気的に接続されている(RSpre_Q)。
【００４１】
一方、始動カウンタ用比較器OP2は、非反転入力端子に対して、スイッチング素子であるＮ型のＭＯＳＦＥＴQ3のドレイン端子が電気的に接続されているとともに、ツェナダイオードZD3と抵抗器R3および充放電コンデンサCstrの直列回路とがＭＯＳＦＥＴQ3に対して並列に電気的に接続されている。このＭＯＳＦＥＴQ3のゲート端子には、ＮＯＴゲートN3の出力側が電気的に接続されている。また、始動カウンタ用比較器OP2は、反転入力端子に対して、参照電圧V2が供給されている。そして、始動カウンタ用比較器OP2の出力端子は、ＮＯＴゲートN4の入力端子と電気的に接続され、このＮＯＴゲートN4の出力端子は、Ｔ型フリップフロップであるカウンタTDのＴ端子と電気的に接続され、このカウンタTDのＱ端子は、Ｔ型フリップフロップであるカウンタTEのＴ端子と電気的に接続されている。これらカウンタTD，TEのＥＮ端子には、それぞれＮＯＴゲートN3の出力側(pre_f)がＮＯＴゲートN5を介して電気的に接続されている。また、これらカウンタTD，TEの各Ｑ端子は、それぞれＡＮＤゲートA2の入力側に電気的に接続され、このＡＮＤゲートA2の入力側には、カウンタTDのＴ端子がＮＯＴゲートN6を介して接続されている。さらに、このＡＮＤゲートA2の出力側は、フリップフロップRSstrのＳ端子に電気的に接続されている。このフリップフロップRSstrのＲ端子には、ＮＯＴゲートN5の出力側がＮＯＴゲートN7を介して電気的に接続されており、Ｑ端子は、ＮＯＴゲートN8を介してスイッチング素子としてのＮＰＮ型のトランジスタQ4のベース端子に電気的に接続されている。そして、このトランジスタQ4のエミッタ端子は接地され、コレクタ端子には抵抗器R4と定電圧素子であるツェナダイオードZD4との並列回路が電気的に接続され、抵抗器R4が始動終了用スイッチtstrと電気的に接続されている。さらに、ＮＯＴゲートN7の出力側は、放電ランプFL(図１)が始動しているかどうかを検出するための始動検出手段であるフリップフロップRSDK2のＲ端子に電気的に接続されており、このフリップフロップRSDK2のＳ端子は、カウンタTDのＱ端子と電気的に接続されている。そして、このフリップフロップRSDK2のＱ端子は、ＯＲゲートOR2の入力側に電気的に接続されている。
【００４２】
また、ＯＲゲートOR2の出力側(DKoff_f)は、電圧降下部31に電気的に接続されているとともに、ＮＯＴゲートN9を介して、ＡＮＤゲートA3の入力側に電気的に接続されている。このＡＮＤゲートA3の入力側には、ＮＯＴゲートN9の出力側の他に、制御部29(図１)の電源電圧Vccと動作停止下限電圧(Under Voltage Lock Out、UVLO)との大小を比較判定する比較器OP3の出力端子、および、図１に示す直流電源11側、すなわち出力電圧VDCの低下を検出するための検出手段としての比較器OP4の出力端子がそれぞれ電気的に接続されている。
【００４３】
なお、電圧降下部31には、ＯＲゲートOR2の出力側だけでなく、フリップフロップRSpreのＱ端子(RSpre_Q)、および、比較器OP3の非反転入力端子がそれぞれ電気的に接続されている。
【００４４】
また、比較器OP3には、非反転入力端子に対して、上記電圧降下部31、および、給電部29(図１)へと電気的に接続される電源線33がそれぞれ並列に接続されており、反転入力端子に対して、動作停止下限電圧を設定するための参照電圧V3が供給されている。
【００４５】
電源線33には、起動部32がスイッチＳを介して電気的に接続されている。このスイッチＳは、ＡＮＤゲートA3の出力端子と電気的に接続されており、このＡＮＤゲートA3からの出力がＨレベルになると起動部32と制御部29(図１)側とを電気的に接続するように構成されている。
【００４６】
また、比較器OP4には、非反転入力端子に対して、出力電圧VDCの低下を検出するための参照電圧V4が供給されており、反転入力端子に対して、出力電圧VDCが入力されているとともに、力率改善制御部26に出力端子が電気的に接続される比較器OP5の反転入力端子が電気的に接続されている。そして、この比較器OP5の非反転入力端子には、力率改善回路21のチョッピング制御用の参照電圧V5が供給されている。
【００４７】
また、図１に示す状態検出部28は、例えば抵抗器などを介して検出した放電ランプ電流(放電ランプ電圧)に基づく放電ランプFLの状態に応じて、発振制御部27を介してドライブ素子17を制御可能に構成されている。
【００４８】
そして、ドライブ素子17は、インバータ回路13のスイッチング素子を、発振制御部27から供給される調光用の周波数信号Ｐに応じて、数十ｋＨｚ〜２００ｋＨｚ程度の周波数、例えば５０ｋＨｚ以上でスイッチング駆動することで、所定の高周波交流を発生させるものである。
【００４９】
このように構成された放電ランプ点灯装置10は、図４に示すような電気機器としての照明器具に適用できる。この照明器具は、放電ランプ点灯装置10が配置された器具本体41、この器具本体41の両端に直管形の放電ランプFLが装着されるソケット42などを備えている。
【００５０】
次に、上記一実施の形態の動作を説明する。
【００５１】
図１に示す放電ランプ点灯装置10を起動させると、力率改善回路21から制御素子16の制御部29のモード制御部35へと出力電圧VDCが給電される。
【００５２】
この力率改善回路21から出力された出力電圧VDCは、起動部32に供給されるとともに、図２に示す比較器OP4の反転入力端子および比較器OP5の反転入力端子にそれぞれ入力され、また、電解コンデンサC1によって平滑されて直流電圧となってインバータ回路13へと入力される。
【００５３】
比較器OP4では、参照電圧V4と出力電圧VDCとの大小が比較される。この起動時には、出力電圧VDCが参照電圧V4よりも小さい(VDC＜V4)ため、比較器OP4の出力側からＡＮＤゲートA3の入力側へとＨレベル出力される。
【００５４】
このＡＮＤゲートA3においては、ＯＲゲートOR2の出力(DKoff_f)が反転入力されているとともに、比較器OP3の出力が入力されている。図３に示すように、起動時、すなわち予熱モードよりも前のタイミングでは、フリップフロップRSDK1の出力(RSDK1_Q)と、フリップフロップRSDK2の出力(RSDK2_Q)とがそれぞれＬレベルであるため、ＯＲゲートOR2の出力(DKoff_f)がＬレベルとなり、したがって、ＡＮＤゲートA3には、ＮＯＴゲートN9を介してＨレベル信号が入力される。また、比較器OP3からは、制御部29(図１)の電源電圧Vccが動作停止下限電圧を設定する参照電圧V3よりも大きいことにより、Ｈレベル信号が出力される。したがって、ＡＮＤゲートA3からは、スイッチＳへとＨレベル出力され、このスイッチＳがオンされて起動電源回路23の起動部32が電圧降下部31とともに制御部29(図１)に接続される。
【００５５】
そして、起動電源回路23では、力率改善回路21からの出力電圧VDCが電圧降下部31によって所定の電圧に降下され、制御部29(図１)へと供給される。この結果、制御部29が動作を開始する。
【００５６】
また、比較器OP5では、参照電圧V5と出力電圧VDCとの大小関係により、Ｈレベル信号とＬレベル信号とが交互に力率改善制御部26へと出力され、この力率改善制御部26により、Ｈレベル信号とＬレベル信号とに対応して力率改善回路21のチョッピング用スイッチング素子のスイッチング駆動がチョッピング用周波数信号PCによって行われ、このスイッチング動作により、整流された入力電圧の位相を入力電流の位相と合わせて力率を改善する。
【００５７】
さらに、発振制御部27の動作により生成された周波数信号Ｐによってドライブ素子17を介してインバータ回路13が駆動されることにより、スイッチング素子が、例えば５０ｋＨｚなどの所定の周波数でオンオフ動作するため、力率改善回路21から出力されて電解コンデンサC1により平滑された直流電圧が高周波交流電圧に変換され、この高周波交流電圧により、共振回路が共振して共振電流が流れて放電ランプFL側へと出力され、また、予熱回路により放電ランプFLのフィラメントFLa，FLbの予熱が開始される。同時に、インバータ回路13が駆動することにより、スナバコンデンサを用いた制御電源回路24(図１)から制御部29(図１)へと給電される。
【００５８】
図３に示すように、予熱モードでは、予熱開始とともに充放電コンデンサCpreが定電流回路により所定の定電流で充電され、充放電を繰り返す。
【００５９】
この充放電コンデンサCpreの充放電に伴い、予熱カウンタ用比較器OP1では参照電圧V1と充放電コンデンサCpreの出力電圧とが比較され、予熱カウンタ用比較器OP1からの出力がＨレベルとＬレベルとで交互に切り換わり、ＮＯＴゲートN1の出力がＬレベルとＨレベルとで交互に切り換わる(TFFA_CLK)。この結果、カウンタTA、カウンタTBおよびカウンタTCにより順次信号が生成される(TA_Q，TB_Q，TC_Q)。
【００６０】
ここで、カウンタTAからの出力がＨレベルになると、このカウンタTAのＱ端子に接続されたフリップフロップRSDK1のＳ端子にＨレベル入力され、このフリップフロップRSDK1の出力がＨレベルとなる。このため、ＯＲゲートOR2の出力(DKoff_f)がＨレベルとなるので、ＮＯＴゲートN9を介してＡＮＤゲートA3にＬレベル信号が入力され、ＡＮＤゲートA3からの出力がＬレベルとなり、スイッチＳがオフされる。したがって、起動電源回路23からの制御部29(図１)への給電が遮断される。すなわち、起動電源回路23は、放電ランプ点灯装置10の起動(予熱モードの開始)から、カウンタTAが最初にＨレベル出力するまでの間、換言すれば、充放電コンデンサCpreの最初の充放電の半分の所定時間ｔだけ、制御部29(図１)に補助給電する。
【００６１】
そして、カウンタTA，TB，TCで生成される信号が全てＨレベルになるまでの間、フィラメントFLa，FLbの予熱によりフィラメントFLa，FLb間に所定の始動電圧が印加されて放電ランプFLが始動し、カウンタTA，TB，TCで生成される信号が全てＨレベルになると、ＡＮＤゲートA1からの出力がＨレベルとなり(RSpre_S)、フリップフロップRSpreからの出力(RSpre_Q)がＨレベルとなる。この結果、ＮＯＴゲートN3を介してトランジスタQ2がオフされ、予熱終了用スイッチtpreがオンされて、予熱モードが終了するとともに、ＯＲゲートOR1を介してフリップフロップRSDK1のＲ端子にＨレベル入力され、フリップフロップRSDK1の出力(RSDK1_Q)がＬレベルにリセットされる。
【００６２】
次いで、図２に示すように、予熱終了用スイッチtpreのオンにより開始された始動モードにおいて、例えば始動モードへの移行による負荷変動に対して直流電源11側の出力電圧VDCが追従できずに出力電圧VDCが参照電圧V4よりも低下した場合、比較器OP4の出力側からＡＮＤゲートA3の入力側へとＨレベル出力される。また、このとき、フリップフロップRSDK1の出力(RSDK1_Q)と、フリップフロップRSDK2の出力(RSDK2_Q)とがそれぞれＬレベルであるため、ＯＲゲートOR2の出力(DKoff_f)がＬレベルとなり、したがって、ＡＮＤゲートA3には、ＮＯＴゲートN9を介してＨレベル信号が入力され、かつ、比較器OP3からは、制御部29(図１)の電源電圧Vccが動作停止下限電圧を設定する参照電圧V3よりも大きいことにより、Ｈレベル信号が出力されてＡＮＤゲートA3に入力される。したがって、ＡＮＤゲートA3からは、スイッチＳへとＨレベル出力され、このスイッチＳがオンされて起動電源回路23の起動部32が電圧降下部31とともに制御部29(図１)に接続される。
【００６３】
そして、起動電源回路23では、力率改善回路21からの出力電圧VDCが電圧降下部31によって所定の電圧に降下され、制御部29(図１)へと補助的に供給される。
【００６４】
また、始動モードにおいては、ＮＯＴゲートN3からの出力がＭＯＳＦＥＴQ3のゲート端子にＬレベル入力されてＭＯＳＦＥＴQ3がオフされ、充放電コンデンサCstrが定電流回路により所定の定電流で充電され、充放電を繰り返す。
【００６５】
この充放電コンデンサCstrの充放電に伴い、始動カウンタ用比較器OP2では参照電圧V2と充放電コンデンサCstrの出力電圧とが比較され、始動カウンタ用比較器OP2からの出力がＨレベルとＬレベルとで交互に切り換わり、ＮＯＴゲートN4の出力がＬレベルとＨレベルとで交互に切り換わる(TFFD_CLK)。この結果、カウンタTDおよびカウンタTEにより順次信号が生成される(TD_Q，TE_Q)。
【００６６】
ここで、カウンタTDからの出力がＨレベルになると、このカウンタTDのＱ端子に接続されたフリップフロップRSDK2のＳ端子にＨレベル入力され、このフリップフロップRSDK2の出力がＨレベルとなる。このため、ＯＲゲートOR2の出力(DKoff_f)がＨレベルとなるので、ＮＯＴゲートN9を介してＡＮＤゲートA3にＬレベル信号が入力され、ＡＮＤゲートA3からの出力がＬレベルとなり、スイッチＳがオフされる。したがって、起動電源回路23からの制御部29(図１)への補助給電が遮断される。すなわち、起動電源回路23は、始動モードの開始から、カウンタTDが最初にＨレベル出力するまでの間、換言すれば、充放電コンデンサCstrの最初の充放電の半分の所定時間ｔだけ、制御部29(図１)に補助給電する。
【００６７】
そして、カウンタTD，TEにより生成される信号とＮＯＴゲートN4の出力の反転信号とが全てＨレベルになるまでの間、始動モードが持続し、これらカウンタTD，TEにより生成される信号とＮＯＴゲートN4の出力の反転信号とが全てＨレベルになると、ＡＮＤゲートA2からの出力がＨレベルとなり(RSstr_S)、フリップフロップRSstrからの出力(RSstr_Q)がＨレベルとなる。この結果、ＮＯＴゲートN8を介してトランジスタQ4がオフされ、始動終了用スイッチtstrがオンされて、始動モードが終了し、点灯モードへと移行する。
【００６８】
そして、放電ランプFLの点灯後、状態検出部28で検出された検出電圧などに基づき、発振制御部27からドライブ素子17へと供給される周波数信号Ｐを生成することにより、インバータ回路13の駆動周波数を可変させ、放電ランプ電流(放電ランプ電圧、放電ランプ電力)が所定の目標値となるようにフィードバック制御がなされる。
【００６９】
このように、上記一実施の形態では、給電部25が、放電ランプFLの状態に応じて互いに異なる複数点から選択的に制御部29に給電するとともに、所定条件時には、制御部29に複数点から所定時間給電する構成とした。
【００７０】
具体的に、給電部25が、起動時には、直流電源11に接続された起動電源回路23から制御部29に給電し、インバータ回路13の駆動後はこのインバータ回路13に接続された制御電源回路24から制御部29に給電し、かつ、放電ランプFLが始動状態に移行したり、比較器OP3により検出した直流電源11側の直流電圧、すなわち出力電圧VDCが所定の閾値を下回ったりしたときに、直流電源11に接続された起動電源回路23から制御部29に所定時間補助給電する構成とした。
【００７１】
すなわち、直流電源11に接続されていることにより高耐圧に構成される起動部32を備えているために損失が大きい起動電源回路23は、起動時および負荷変動により電力の補助が必要となると予想されるタイミングのみで用い、他のときには起動電源回路23よりも損失が小さい制御電源回路24を用いるため、起動部32が備える抵抗器などにより常時電力を消費することがなく、回路効率を確保できるとともに、放電ランプFLの状態変化すなわち負荷変動に伴う制御部29の電源変動を抑制でき、制御部29を安定して動作させることが可能になる。特に、放電ランプFLのフィラメントのみがインバータ回路13の負荷となる軽負荷状態の予熱状態から始動状態に移行した際などの負荷変動に直流電源11側の出力電圧VDCが追従できずに生じるオーバシュート、あるいはアンダシュートなどの際の制御部29の電源変動を確実に抑制できる。
【００７２】
さらに、負荷として放電ランプFLを放電ランプ点灯装置10によって駆動することにより、放電ランプFLの点灯状態に応じた負荷変動に起因する電源変動を抑制できる。
【００７３】
また、制御部29を給電部25とともに集積化して直流電源11に直接接続することにより、小型で安価な回路構成を得ることができる。
【００７４】
なお、上記一実施の形態において、放電ランプFLのモードの移行時以外でも、比較器OP4により直流電源11側からの出力電圧VDCが所定の電圧よりも低下したことを検出した場合には、起動電源回路23から制御部29へと所定時間補助給電するように構成してもよい。
【００７５】
さらに、始動モードから点灯モードに移行した際に、起動電源回路23から制御部29へと所定時間補助給電する構成としてもよい。
【符号の説明】
【００７６】
10    電源装置としての放電ランプ点灯装置
11    直流電源
13    インバータ回路
25    給電手段としての給電部
29    制御手段としての制御部
FL    放電ランプ
OP4   検出手段としての比較器
【図１】
0005428048.tif 000002
【図２】
0005428048.tif 000003
【図３】
0005428048.tif 000004
【図４】
0005428048.tif 000005